(57)【要約】ディスクドライブユニットは、移動装置に使用するためのディスクローディング機構を有する。このローディング機構は、装置のハウジングにおける開口を介してディスクを受け取り、ディスクをディスクドライブと係合させる又はディスクをディスクドライブとの係合から外すよう構成される。ディスクドライブユニットは、ディスクを受け取る第１の位置と、開口を覆いディスクドライブがディスクと係合することを可能にする第２の位置との間でハウジング及びディスクドライブに対して可動であるトレイ（８）を有する。トレイは、そのドライブ位置においてドライブ軸（１１）と実質的に一致する軸（１０）について回転可能である。この構成は、ハウジングからほとんど突出しないトレイを有するスロットローダをもたらし、これは、結果としてロバストなローディング機構をもたらす。
2006526238.tif 000002
【特許請求の範囲】
【請求項１】
ディスクローディング機構を有するディスクドライブユニットであって、
ハウジングの壁に、該ハウジング内にディスクを挿入する又は該ハウジングからディスクを取出しするための開口を有する該ハウジングと、
前記ハウジング内に収容され、ヘッドがディスク上のデータを読出しする及び／又はディスク上にデータを書込みすることを可能にするためディスクと係合しドライブ軸についてディスクを回転するよう適応されるディスクドライブと、
前記ハウジングにおける前記開口を介してディスクを受け取り、ディスクを前記ドライブディスクと係合させる及びディスクを前記ドライブディスクとの係合から外すようにするローディング機構と、
を有し、
前記ローディング機構は、ディスクを受け取る第１の位置と前記ディスクドライブがディスクに係合することを可能にする第２の位置との間で前記ハウジング及び前記ディスクドライブに対して可動であるトレイを有し、
前記トレイは、そのドライブ位置にあるときに前記ドライブ軸と実質的に一致する軸について回転可能であるディスクドライブユニット。
【請求項２】
前記トレイには、その第２の位置において前記ハウジングにおける前記開口を覆うよう適応されるカバー縁部が設けられ、
前記トレイは、前記第１の位置及び前記第２の位置の両方において実質的に前記ハウジング内に位置付けられることが好適である請求項１記載のディスクドライブユニット。
【請求項３】
前記トレイの前記カバー縁部と、前記開口を囲む前記ハウジングの前記壁は、円筒形である請求項２記載のディスクドライブユニット。
【請求項４】
前記カバー縁部は、前記開口に沿って前記ハウジングの前記壁によって案内される請求項３記載のディスクドライブユニット。
【請求項５】
前記トレイは、前記ディスクドライブの読出し及び／又は書込みヘッドがディスクへのアクセスを得ることを可能にする閉鎖可能なアクセス開口と、前記ディスクドライブが、前記ディスクを駆動させるために前記トレイを介して前記ディスクに係合することを可能にする孔とを有する請求項１乃至４のうちいずれか一項記載のディスクドライブユニット。
【請求項６】
前記トレイは、手動で回転可能であり、また、その円周付近に操作ノブが設けられ、
前記操作ノブは、前記ハウジングの外側からアクセス可能及び操作可能である請求項１乃至５のうちいずれか一項記載のディスクドライブユニット。
【請求項７】
前記操作ノブは、前記ハウジングにおける前記ディスク挿入開口を通り突出する請求項６記載のディスクドライブユニット。
【請求項８】
前記ユニットには、前記カートリッジが少なくとも部分的に前記ハウジングの外側にあるよう前記トレイが開けられるときに前記カートリッジに作用する取出し機構が設けられる請求項１乃至７のうちいずれか一項記載のディスクドライブユニット。
【請求項９】
前記トレイには、前記トレイの回転の間に機構を動作させるよう前記ハウジング内の関連付けられる部材と協働する少なくとも１つの部材が設けられる請求項１乃至８のうちいずれか一項記載のディスクドライブユニット。
【請求項１０】
移動電話機といった携帯可能なハンドヘルド式装置に組み込まれる請求項１乃至９のうちいずれか一項記載のディスクドライブユニット。
【請求項１１】
開くことが可能なカートリッジ内に入れられるディスクと共に使用されることを意図し、前記ユニットは、前記カートリッジを位置決めする及び／又は開くための少なくとも１つの部材を有する請求項１乃至１０のうちいずれか一項記載のディスクドライブユニット。
【請求項１２】
請求項１１に記載のディスクドライブユニットと共に使用するカートリッジであって、
前記カートリッジは、閉鎖可能なアクセス開口と、前記カートリッジにおける前記アクセス開口を、前記トレイにおけるアクセス開口に対して位置決めする少なくとも１つの位置決め部材とを有するカートリッジ。
【請求項１３】
前記カートリッジには、前記トレイに対する正しい位置に関する情報をユーザに与える指示が設けられる請求項１２記載のカートリッジ。
【発明の詳細な説明】
【技術分野】
【０００１】
本発明は、ディスクローディング機構を有する光ディスクドライブユニットといったディスクドライブユニットに係わり、特に、ハウジングの壁にハウジングにディスクを挿入する又はハウジングからディスクを取出しするための開口を有する該ハウジングと、ハウジング内に収容され、ヘッドがディスクからデータを読出しする及び／又はディスクにデータを書込みすることを可能にするためにディスクに係合しディスクをドライブ軸について回転するよう適応されるディスクドライブと、ハウジングの開口を介してディスクを受け取り、ディスクをディスクドライブに係合させ、また、ディスクをディスクドライブとの係合から外すローディング機構とを有し、ローディング機構は、ディスクを受け取る第１の位置とディスクドライブがディスクと係合することを可能にする第２の位置との間でハウジング及びディスクドライブに対して可動であるトレイを有する、ディスクドライブユニットに係る。
【背景技術】
【０００２】
ディスクローディング機構を有するディスクドライブユニットは、特に、オーディオ、ビデオ、及びコンピュータ装置において広く普及している。これらの装置の多くは、不動の装置である。これらの不動装置のディスクローディング機構は、引き出し上にディスクが置かれることを可能にするようハウジングから突出する第１の位置と、開口を閉じ、ディスクドライブがディスクを回転させることを可能にするよう引き出しが引き込められる第２の位置を有する引き出しの形のスライドを有する。そのようなディスクローディング機構の１つの例は、特許文献１に開示される。
【０００３】
別のタイプのローディング機構は、特許文献２から公知である。このディスクドライブユニット用のローディング機構では、トレイは、ハウジング内にあり開口を覆う位置と、ハウジングから突出する位置との間でトレイを回転させるよう軸について回転可能である。ハウジングから突出する位置では、ディスクは、トレイ上に置かれることが可能であり、その後、トレイは、再びハウジング内に回転して戻され得る。上述したようなディスクローディング機構は比較的に脆弱であるので、これらの機構は、移動適用、特に小型装置にはあまり適していない。そのような小型装置のトレイは、より一層繊細であり、また、電話機等の移動装置の運搬及び取り扱いによる損傷の危険性がより高い。
【特許文献１】独国特許第３４４３０７０号
【特許文献２】特願２００１−２２２８４５号
【発明の開示】
【発明が解決しようとする課題】
【０００４】
本発明は、改良されたディスクローディング機構を有する新規のディスクドライブユニットを提供することを目的とする。
【課題を解決するための手段】
【０００５】
この目的を得るために、本発明は、トレイは、そのドライブ位置にあるときにドライブ軸と実質的に一致する軸について回転可能であるディスクドライブユニットを提供する。
【０００６】
本発明のこの特徴によって、トレイは、その第１の位置に回転されると実質的にハウジング内に依然としてあるようにされることが可能である。これは、いわゆるスロットローダを形成し、この場合、ディスクは、外に突出するトレイ上に置かれるのではなくスロット開口内に挿入される。従って、トレイは、その第１の位置である開位置においてハウジングから垂直方向に離れるよう全く突出しないか殆ど突出しない。これにより、トレイが損傷される危険性が低減される。このことは、ディスクドライブユニットを、移動及び／又はハンドヘルド式装置における使用により適しているようにする。もう１つの利点は、ローディング機構は、ディスクがトレイ上に必ず置かれなければならない場合のようにディスクが挿入されるときのトレイの正しい向きにあまり依存しないことである。トレイは、第２の位置において、ハウジングの壁にある開口を覆うことが好適である。
【０００７】
請求項２に記載の実施例では、ハウジングの開口を閉じるための単純な手段が作成される。トレイの回転動作は自動的にカバー縁部を開位置と閉位置の間で動かす。
【０００８】
請求項３の特徴は、カバー縁部とハウジングは、その形状が、トレイの回転動作に適応されるという利点を有する。更に、請求項４に記載するように、カバー縁部とハウジングの壁を、トレイの回転動作を案内するよう使用することを可能にする。これにより、トレイの回転動作を案内するためにトレイに中心軸を必要としなくなる。
【０００９】
本発明のディスクドライブユニットは、請求項１０に記載されるように移動電話機等の携帯可能なハンドヘルド式装置に組み込まれることが好適である。更に、ディスクドライブユニットを、開くことが可能なカートリッジに入れられるディスクと共に用いることが好適である。この場合、ユニットは、カートリッジを位置決めする及び／又は開く部材を少なくとも有する。
【００１０】
本発明は更に、請求項１２に記載するように本発明のディスクドライブユニットと共に使用するカートリッジに係る。そのようなカートリッジを用いると、第１の位置から第２の位置までのトレイの回転動作は、ディスクドライブユニットのヘッドがディスクにアクセスすることを可能にするようカートリッジを開くために使用可能である。
【００１１】
実質的に正しい方法でカートリッジを挿入するようユーザを支援するために、請求項１３の特徴を使用することが有利である。
【発明を実施するための最良の形態】
【００１２】
本発明の更なる詳細及び利点は、本発明の実施例を例示的に示す図面における以下の図面の説明において説明する。
【００１３】
図面、特に、図１及び２は、本発明のディスクドライブユニットの実施例が組み込まれた移動電話機、ＰＤＡ等の電子移動装置を示す。装置／ディスクドライブユニットは、特に、前部壁２、周囲壁３、及び、上部壁２にある操作キー４並びにディスプレイ５を有するハウジング１を有する。
【００１４】
ここでは、周囲壁の上部側は、その形状は半円筒体であり、ハウジング１内に含まれるディスクドライブ７内においてディスクＡを使用するために、ハウジング１内にディスクＡを挿入するための閉鎖可能なスロット状の開口６を有する。
【００１５】
図示する実施例では、ディスクＡは、埃、傷、又はディスクＡの動作に影響を与え得る任意の他の環境的影響からディスクを保護するためにカートリッジＢ内に入れられる光ディスクであることが好適である。しかし、本発明は、カートリッジのない光学的又は非光学的なディスクとの協働にも適している。
【００１６】
ディスクドライブユニットのローディング機構は、トレイ８を有する。トレイ８は、ディスクＡ又はディスクカートリッジＢをその中に周囲ハウジング壁３にある開口６を介して受け取るよう適応される。トレイには、実質的に半円筒型のカバー縁部９が備わり、これは、トレイ８の略半分の周囲に亘って延在する。この場合、トレイ８の周囲は、円形であるが、特に、カバー縁部９以外の領域ではこの形状から外れてもよい。トレイ８は、ハウジング１及びディスクドライブ７に対して、トレイ８のカバー縁部９が、ハウジング壁３における開口６から実質的に離れるよう動かされそれによりハウジング１内へのディスクカートリッジＢの挿入又はハウジング１からディスクカートリッジＢの取出しを可能にする第１の位置と、トレイ８のカバー縁部９が開口６と位置合わせされ、従って、ハウジング内の開口６を閉じる第２の位置との間で回転可能である。
【００１７】
その回転の間に、トレイ８は、ディスクドライブ７のドライブシャフト１１の軸と一致する軸１０について回転する。この実施例では、回転軸１０は、カバー縁部９の曲率中心に一致する。これは、カバー縁部９と開口６の縁との係合を、トレイ８の回転動作のガイドとして使用することを可能にする。当然ながら、ガイドは、トレイを開位置に案内するようハウジング１内に延在すべきである。トレイ８の回転のための追加の又は代替のガイド又は軸受が考えられる。カバー縁部９は更に、開口６を閉じて、埃が入ってくることを阻止することが好適である。例えば、カバー縁部９は、開口６の縁とラビリンスシールを形成してもよい。
【００１８】
特に図３を参照するに、トレイ８の底部は、その中心においてディスクドライブ５とディスクＡとの協働を可能にするため、特に、ドライブシャフト１１とディスクＡにおける孔との係合を可能にするための孔１２と、更に、ディスクドライブ７の読出し／書込みヘッド１４がこのために設計されるディスクＡの表面領域と協働することを可能にするためのアクセス開口１３を有する。
【００１９】
このために、図４に示すように、カートリッジＢも、何らかの種類の蓋、ここではスライド１６によって閉鎖可能なアクセス開口１５を有する。ディスクドライブ７には、カートリッジを開閉する手段が設けられ得るが、ここでは、スライド１６の円周上の突起１７と協働する部材からなる。カートリッジＢには更に、カートリッジＢをトレイ８に位置決めし且つ固定するための部材１８が設けられ、それにより、トレイ８が回転されると、カートリッジもトレイ８と共に回転し、また、スライド１６は、ハウジング１に対して動かないようにされる。これは、カートリッジＢに対するスライド１６の開閉動作をもたらす。トレイ８に対するディスクカートリッジＢの正しい配置、即ち、カートリッジＢにおけるアクセス開口１５とトレイ８におけるアクセス開口１３が合わせられる位置にすることを容易にするために、矢印（図５参照）といった指示１９が、カートリッジＢ上に設けられ得る。カートリッジＢは更に、カートリッジＢをトレイ８上の正しい位置に案内するための案内部材と、トレイ８上へのカートリッジＢの逆さまの配置を阻止する手段を有してもよい。
【００２０】
従来通り、カートリッジをディスクドライブ内に位置合わせし、また、正しく位置合わせされたカートリッジを検出する手段が設けられてもよい。更に、ディスクドライブは、ディスクドライブのモータが回転している限りスライド１６を第２の位置に固定する手段を有してもよい。トレイ８は更に、ドライブシャフトをディスクＡにおける孔と係合させる又は孔との係合から外すためにトレイ８とドライブシャフト１１との間の相対動作を作成する手段を有し得る。この手段は、トレイ８の下部にあるランプ又はカム２０を有し得る。しかし、ドライブシャフトが可動であることも考えられ得る。その場合、トレイは、ドライブシャフト１１の動作の制御を切り替える操作部材を有することが好適である。トレイ上のそのような切替え素子及び部材は、トレイ８の円周又は底面に設けられ得る。
【００２１】
トレイ８の回転は、モータ、又は、より簡単な実施例では、手によって実行され得る。図面に示す実施例では、操作ノブ２１がカバー縁部９の１つの端に設けられる。この操作ノブは、開口６を通り飛び出し、いつでも手によってアクセス可能であり、それにより、操作ノブ２１をつかみ、ハウジング１に対して操作ノブ２１を動かすことによって開口６を開閉することが可能である。
【００２２】
トレイ８又はハウジング１に、ユーザがつかむことができるようカートリッジＢをハウジング１の少なくとも部分的に外側に持ってくるようトレイ８が開かれる間にカートリッジＢに作用する取出し機構を与えることも考えられる。取出し機構は、例えば、バネ力の圧力に逆らったその開位置を越えて動かされるトレイ８によって作動され得る。取出し機構は、カートリッジＢをハウジング１内に押し込むか、又は、トレイ８を閉位置に動かすことによって再び張力が加えられる。
【００２３】
上述から、本発明は、ディスクドライブユニットと、操作するのが簡単で閉位置では効果的にしっかりふさがれる単純で、信頼度が高く、ロバストで、コンパクトなローディング機構を有する装置を提供することが明らかとなろう。
【００２４】
本発明は図面に示す上述した実施例に限定されず、本発明の範囲から逸脱することなく幾つかの方法で変更してもよい。ディスクは、ＣＤ又はＤＶＤといった光ディスク、磁気光ディスク、又は磁気ディスクであり得る。ディスクは、例えば、磁気手段又は他の手段といったように光学手段以外で読出し／書込み可能であり得る。トレイは、別の方法によって案内されてもよく、また、トレイの回転軸も、ドライブシャフトの軸に対して僅かにずれていてもよい。トレイの形状は、状況に応じて、ハウジングの開口から幾らか飛び出てローディング位置となるような形状であり得る。ディスクドライブは更に、カートリッジのないディスクとも協働するよう適用され得る。
【００２５】
一般的に、本願において、「有する」という表現は、他の素子を排除するものではなく、また、単数形で示される素子もその素子が複数存在することを排除しているわけではない。１つのプロセッサ又はユニットが、請求項に記載の幾つかの素子の機能を実現し得る。請求項における参照符号は、その請求項の範囲を制限するものと解釈すべきではない。
【図面の簡単な説明】
【００２６】
【図１】本発明のディスクドライブユニットの実施例を有する特に移動電話機である携帯可能装置を示す斜視図である。
【図２】図１の装置の長手方向の断面図である。
【図３】図１の装置からのトレイを示す拡大斜視図である。
【図４】図１乃至３の装置に使用するディスクカートリッジを示す斜視図である。
【図５】図１乃至３の装置に使用するディスクカートリッジを示す斜視図である。
【図１】
2006526238.tif 000003
【図２】
2006526238.tif 000004
【図３】
2006526238.tif 000005
【図４】
2006526238.tif 000006
【図５】
2006526238.tif 000007
【国際調査報告】
2006526238.tif 000008
2006526238.tif 000009